【事件の表示】
　特願２０１１−５２０３２４「発光装置」拒絶査定不服審判事件〔平成２２年　２月　４日国際公開、ＷＯ２０１０／０１２２７６、平成２３年１２月　８日国内公表、特表２０１１−５２９６１３〕について、次のとおり審決する。
【結　論】
　本件審判の請求は、成り立たない。
【理　由】
１　手続の経緯
　本願は、２００９年　７月３０日（パリ条約による優先権主張外国庁受理２００８年　７月３０日、独国）を国際出願日とする出願であって、平成２５年　１月２４日付で拒絶理由通知がなされ、同年　４月２６日に意見書及び手続補正書が提出されたところ、同年　７月３０日付で拒絶査定がなされ、これに対して、同年１２月　５日に拒絶査定不服審判の請求がなされたものである。
　
　
２　本願発明
　本願の請求項１〜１２に係る発明は、平成２５年　４月２６日に提出された手続補正書により補正された特許請求の範囲の請求項１〜１２に記載された事項により特定されるとおりのものであるところ、その内、請求項１に係る発明（以下「本願発明」という。）は、次のとおりのものである。
　「【請求項１】
　発光装置、特に照明装置であって、
　支持基板（２）上に個々に形成された複数の照明素子（１；３０，３１）を含む二次元アッセンブリーであって、上記各照明素子は、カバー電極と、支持基板（２）上のベース電極と、上記カバー電極と上記ベース電極との間に配置され、かつ該カバー電極および該ベース電極に電気的に接触している有機領域とを有し、隣り合う照明素子の有機領域は、対応する中間領域（３；３３）によって互いにそれぞれ分離されている、二次元アッセンブリーと、
　上記照明素子（１；３０，３１）の発光側に配置され、対応する照明素子の光取り出し効率を最適化する光取り出し素子（４）と、
　上記照明素子（１；３０，３１）の少なくとも一部を含む電気的な直列接続とを備え、
　上記電気的な直列接続では、照明素子の上記カバー電極と、該照明素子の隣の照明素子の上記ベース電極とが、上記照明素子と上記隣の照明素子との間の上記中間領域（３；３３）によって形成された接続部を介して、互いに電気的に接続されており、
　複数の光取り出し素子の二次元配置が形成されており、複数の照明素子が１つの光取り出し素子に対応付けられている発光装置。」
　
　
３　刊行物の記載事項
（１）原査定の拒絶の理由に引用文献１として引用され本願の優先権主張日前に日本国内において頒布された刊行物である国際公開第２００７／０５２４３２号（以下「刊行物１」という。）には、「有機ＥＬ発光装置」（発明の名称）に関して、図１、図３（Ｂ）及び図４と共に、次の記載がある。（なお、下線は当審で付したものである。以下同様。）
　ア　「技術分野
［０００１］　本発明は、トータルの駆動電圧が低く、かつ白色の均一性に優れる
有機エレクトロルミネッセンス（ＥＬ）発光装置
背景技術
［０００２］　有機ＥＬ素子は、（i）自発光素子、（ii）直流低電圧での駆動が可能、（iii）用いる有機ＥＬ材料や素子構造を選択することにより、赤、緑、青や白色等様々な発光色を実現可能、という特徴を有する。そのため、次世代ディスプレイ技術ばかりでなく近年では大面積照明技術としても注目されている。
［０００３］　有機ＥＬ素子の構造を大きく分けると、ボトムエミッション型とトップエミッション型に分けられる。ボトムエミッション型は、例えばガラス等の光透過性を有する支持基板上にインジウム酸化錫（ＩＴＯ）等の透明電極を設け、さらにその上に有機発光層、対向反射電極を順に積層した構造であり、有機発光層で発生した光は透明な支持基板を通して素子外部に取り出される。一方、トップエミッション型は、支持基板上に反射電極を設け、さらにその上に、有機発光層、対向透明電極を順に積層した構造であり、有機発光層で発生した光は、支持基板側ではなく、対向透明電極側から取り出される。さらにトップエミッション型では、対向透明電極を光半透過半反射電極とすることによりマイクロキャビティ構造とし、反射電極と対向電極間の距離を選択することにより有機発光層で発生した光を増幅させ、高強度の光を素子外部に取り出す技術が検討されている（特許文献１）。
［０００４］　また、照明技術には白色発光が不可欠である。・・（略）・・
［０００５］　以上説明したような有機ＥＬ素子を用いて平面照明光源を作製しようとする場合、最も単純な構成は、発光面全体を覆うように上下の電極で有機発光層を挟持する構成である。しかしながら、この構成では、（i）電極部、特に透明電極部での電圧降下により発光面全体で均一な電流密度とならず、そのために面内で輝度ムラが発生する、（ii）発光部に流れる電流が、発光部と駆動電源を接続する配線部に集中しジュール熱が発生する、（iii）発光面内のいずれかの場所で上下電極間の導通が生じると、この導通箇所に印加した電流が集中し、導通箇所周辺が光らなくなる、という課題があった。
［０００６］　これら課題のうち、（i）、（iii）については、互いに直交するマトリクス状電極とし、さらにマトリクス電極に沿うように低抵抗の補助配線を配設することにより解決することができる。しかしながら、課題（ii）については改善されない。
［０００７］　有機ＥＬ素子に電圧Ｖを加えたときの電流密度をＪとすると、ＪとＶは、例えばＪ＝Ａ・Ｖｎ（Ａ：比例定数、ｎ＞１）という非線形な関係にあり、電圧Ｖを上げると急激に電流密度Ｊが大きくなる。ここで発光部の面積をＳとすると、発光部全体に流れる電流はＳＪとなる。この電流が発光部と駆動電源を接続する配線部に集中してジュール熱が発生し、配線部の熱劣化を引き起こす。
［０００８］　配線部で生じるジュール熱を低減する一つの手段として配線部の抵抗を下げることが挙げられるが、照明光源内部での配線部分には空間的な制約があって低抵抗化が困難であった。そのため、有機ＥＬ素子を大面積照明へ応用するには、有機ＥＬ発光部を流れる電流密度Ｊを下げる技術が望まれていた。
［０００９］・・（略）・・
［００１１］　また、特許文献４には、有機ＥＬ素子を発光面内に直列に並置配列する技術が開示されている。同様な技術は、特許文献７にも開示されている。特に、特許文献７では、図１４に示すように、例えば単位有機ＥＬ素子が４つ直列接続されたラインを３本有し、この３本のラインがそれぞれ異なる色を発色するようにしてある。この３本のラインが、それぞれ青、緑、赤の３原色を発光するような構成とすることにより、前述のスタック型とは違って比較的容易に白色発光を得ることができた。しかしながら、白色の均一性が不十分であり、白色の発光効率が不十分であり、かつ駆動電圧が高くなりすぎる、という課題があった。
・・（略）・・
　特許文献７：米国特許出願公開第２００４／００３２２２０号明細書
［００１２］　本発明の目的は、トータルの駆動電圧が低く、かつ白色の均一性に優れる有機ＥＬ発光装置を提供することである。
発明の開示
［００１３］
　本発明者らが鋭意研究を重ねた結果、直列接続する部分の発光色を異なる２色以上とすることにより、課題が解決されることがわかった。さらに、各単位発光素子毎に、二つの反射面を設け、反射面間の距離が、有機発光層が含む発光中心の発する光の自然発光幅を狭くするように設定することにより高効率化が図られ、さらに、単位発光素子の形状を最適化し、さらに、異なる色の配列を工夫することにより、トータルの駆動電圧が低く、かつ白色の均一性に優れる有機ＥＬ発光装置が得られることを見出した。」　
　
　イ　「［００２２］　１．第１の実施形態
　図１は、本発明の第１の実施形態を模式的に示す図である。
　この図に示すように、有機ＥＬ発光装置１は、
基板１００上に並置された第１単位発光素子１０と第２単位発光素子２０を有する
　
第１単位発光素子１０は、基板１００上に、第１下部電極１２、第１有機発光層１４及び第１上部電極１６を、この順に積層した構造を有し
　
第２単位発光素子２０は、基板１００上に、第２下部電極２２、第２有機発光層２４及び第２上部電極２６を、この順に積層した構造を有し
　
第１及び第２下部電極１２、２２は有機発光層へ正孔を注入するための陽極、又は有機発光層へ電子を注入するための陰極として機能
第１下部電極１２が陽極のときは、第２上部電極２６は陰極であり、第１下部電極１２が陰極のときは、第２上部電極２６は陽極
第１下部電極１２と第２上部電極２６は電気的に接続され
第１単位発光素子１０と第２単位発光素子２０は直列に接続されて
［００２３］　また、
第１有機発光層１４と第２有機発光層２４とは異なる色の発光を
［００２４］　本実施形態の有機ＥＬ発光装置は、
第１単位発光素子１０と第２単位発光素子２０を
隣り合う素子の上部電極と下部電極が接続している素子がＮ個並ぶ
　・・（略）・・
［００２５］
　第１単位発光素子１０と第２単位発光素子２０の配列の方法は種々ある。例えば、図３（Ａ）、（Ｂ）は、第１の実施形態による有機ＥＬ発光装置の上面図である。この図では、
４列４行の素子の配列
Ａ１〜Ａ４が第１単位発光素子であり、Ｂ１〜Ｂ４が第２単位発光素子
　
図３（Ａ）では、４個の単位発光素子Ａ１、Ｂ２、Ａ３、Ｂ４が直列接続されたユニットを１行とし、４行が駆動電源Ｖに並列接続
横の行と同様、縦の列も発光色Ａ、Ｂが交互に並んでいる
「ダイアゴナル配列」と呼ばれ、発光色Ａ、Ｂの混色度が高く、Ａ、Ｂとを組み合わせて白色とした場合には、白色の均一性、視認性に優れており
［００２６］
  また、図４は、図３（Ｂ）のダイアゴナル配列の一部を拡大した図である。本実施形態において、各
単位発光素子
は長方形であり、長方形の長辺方向に直列接続され
単位発光素子の長辺の長さをＨ、短辺の長さをＶとする
駆動電圧を現実的な範囲に収めることができ
［００２７］・・（略）・・
［００２９］　本実施形態において特に好ましい形態としては、単位発光素子内部に二つの光反射面を設け、光反射面のうちの少なくとも一つは半反射半透過性とし、有機発光層を二つの光反射界面の間に設け、二つの光反射界面間の距離を、有機発光層が含む発光中心の発する光の自然発光幅を狭くするように設定するという形態を挙げることができる。尚、光反射面は少なくとも二つあればよく、三つ以上あってもよい。」
　
　ウ　「［００８０］　
本発明の有機ＥＬ発光装置は、液晶ディスプレイのバックライトや装飾用照明、室内用一般照明等に用いることができる
　
　エ　上記イに記載された図１に関する符号を参照すると、図１は、第１の実施形態の有機ＥＬ発光装置を模式的に示す図であって、
　（ア）第１下部電極１２が基板１００表面上に積層され、前記第１下部電極１２はその表面上に第１有機発光層１４を積層し、第１有機発光層１４の右端部よりも右側に延在しており、また、第２下部電極２２が第１下部電極１２と間隔を開けて基板１００表面上に積層され、前記第２下部電極２２はその表面上に順次第２有機発光層２４及び第２上部電極２６を積層していること、
　（イ）そして、前記第２上部電極２６は、第２有機発光層２４の上表面からさらに左側面部に沿って下降して基板１００表面にまで達し、前記第２下部電極２２と第１下部電極１２との間に延在すると共に、前記第１下部電極１２の第１有機発光層１４の右端部よりも右側に延在している部分であり且つ第１有機発光層１４の右端部に達しない部分で、前記第１下部電極１２の前記延在部と前記第２上部電極２６の前記基板１００表面にまで達した部分とが接続されていること、
　（ウ）即ち、「
第１有機発光層１４と第２有機発光層２４との間隙部分において第１下部電極１２と第２上部電極２６とが接続されている
　
　オ　図３（Ｂ）は、図１の有機ＥＬ発光装置の第２の上面図を示す図であり、図４は図３（Ｂ）のダイアゴナル配列の一部を拡大した図である。
　そして、段落［００２５］、［００２６］の記載を参照すると、図３（Ｂ）には、
単位発光素子が４行４列に配列された「ダイアゴナル配列」
　そして、図４からは、「各単位発光素子が並列配置されたＡ１とＢ１（Ｂ２とＡ２）とはｖの幅で分離され、
直列配置されたＡ１とＢ２（Ｂ１とＡ２）とはｈの幅で分離されている
　
　カ　刊行物１に記載された発明
　上記ア〜オの記載事項を整理すると刊行物１には、次の発明が記載されている。
　「装飾用照明、室内用一般照明等に用いることができる有機ＥＬ発光装置であって、
　基板１００上に並置された第１単位発光素子１０と第２単位発光素子２０を有し、
　第１単位発光素子１０は、基板１００上に、第１下部電極１２、第１有機発光層１４及び第１上部電極１６を、この順に積層した構造を有し
　第２単位発光素子２０は、基板１００上に、第２下部電極２２、第２有機発光層２４及び第２上部電極２６を、この順に積層した構造を有し、
　第１及び第２下部電極１２、２２は有機発光層へ正孔を注入するための陽極、又は有機発光層へ電子を注入するための陰極として機能し、第１下部電極１２が陽極のときは、第２上部電極２６は陰極であり、第１下部電極１２が陰極のときは、第２上部電極２６は陽極となり、
　第１有機発光層１４と第２有機発光層２４との間隙部分において第１下部電極１２と第２上部電極２６とが電気的に接続されることで、第１単位発光素子１０と第２単位発光素子２０は直列に接続されており、
  第１有機発光層１４と第２有機発光層２４とは異なる色の発光をし、
　第１単位発光素子１０と第２単位発光素子２０は、隣り合う素子の上部電極と下部電極が接続している素子がＮ個並び、
　具体的には、単位発光素子は、Ａ１〜Ａ４が第１単位発光素子であり、Ｂ１〜Ｂ４が第２単位発光素子として、長辺の長さをＨ、短辺の長さをＶとする長方形であり、各単位発光素子がｈの幅で分離されて長方形の長辺方向に直列接続されるように４個の単位発光素子Ａ１、Ｂ２、Ａ３、Ｂ４が直列接続されたユニットを１行とし、横の行と同様、縦の列も発光色Ａ、Ｂが交互に並んでいる４行が駆動電源Ｖに並列接続されて、単位発光素子が４行４列に配列された「ダイアゴナル配列」を形成することで、発光色Ａ、Ｂの混色度が高く、Ａ、Ｂとを組み合わせて白色とした場合には、白色の均一性、視認性に優れており、駆動電圧を現実的な範囲に収めることができる有機ＥＬ発光装置。」（以下、「引用発明」という。）
　
（２）原査定の拒絶の理由に引用文献２として引用され本願の優先権主張日前に日本国内において頒布された刊行物である特開２００４−３９５００号公報（以下「刊行物２」という。）には、「有機エレクトロルミネッセンス装置、有機エレクトロルミネッセンス装置の製造方法および電子機器」（発明の名称）に関して、図７、図８と共に次の記載がある。
　ア　「【従来の技術】
従来、電極及び駆動回路が設けられたガラス基板上に、画素となる複数の有機材料及び電極材料を蒸着などによって順に形成して、有機エレクトロルミネッセンス（以下、ＥＬという）素子を設けたアクティブな有機ＥＬ装置が製造されていた。図８は従来の有機ＥＬ装置の一例を示す概要断面図である。図８（ａ）は基板８１の底面側から光を出射させる、すなわち
基板８１を透過した光を用いる基板側発光型の有機ＥＬ装置
基板９１の有機ＥＬ層９４側から光を出射させる封止側発光型の有機ＥＬ装置
【０００３】
図８（ａ）に示す有機ＥＬ装置は、透明な基板８１の上に透明な陽極８３を設け、陽極８３の上に発光層である有機ＥＬ膜８４を設け、有機ＥＬ膜８４の上に陰極８５を設けた構成となっている。有機ＥＬ膜８４から出射された光は、陽極８３及び基板８１を透過して有機ＥＬ装置の外へ出射し、人間の目に捕らわれる。
【０００４】
図８（ｂ）に示す有機ＥＬ装置は、基板９１の上に陰極９３を設け、陰極９３の上に有機ＥＬ膜９４を設け、有機ＥＬ膜９４の上に透明な陽極９５を設け、陽極９５の上に透明な保護膜９６を設けた構成となっている。有機ＥＬ膜９４から出射された光は、陽極９５及び保護膜９６を透過して有機ＥＬ装置の外へ出射し、人間の目に捕らわれる。
また、フルカラー表示を行う有機ＥＬ装置では、３原色の各色毎にマスク蒸着法を用いて所望材料を選択蒸着して製造されていた。
【０００５】
【発明が解決しようとする課題】
しかしながら、
従来の有機ＥＬ装置では、有機ＥＬ膜から光が四方八方に出射されるので、基板面に対して斜めに出射された光がその基板と外部空気の境界又は有機ＥＬ装置の保護膜と外部空気の境界で反射され、有機ＥＬ装置の外に出射されないという問題点を有していた
【０００６】
また、従来の有機ＥＬ装置では、所望の輝度を得るために、電極に印加する電圧を上げて有機ＥＬ素子を流れる電流を多くするという方法を用いていた。しかしながら、この方法では、消費電流が増加するとともに、有機ＥＬ素子の寿命が短くなるという問題点があった。
【０００７】
本発明は、上述した事情に鑑みてなされたもので、
有機ＥＬ素子から出射された光を効率よく利用することができる有機エレクトロルミネッセンス装置
提供を目的
  　
　イ「【０００８】
【課題を解決するための手段】
上記した目的を達成するために、本発明の有機エレクトロルミネッセンス装置は、２つの電極間に発光層を有してなる有機エレクトロルミネッセンス素子が基板上に形成された有機エレクトロルミネッセンス装置において、前記
有機エレクトロルミネッセンス素子の発光面側にマイクロレンズアレイを設けた
このような発明によれば、発光層から出射された光がマイクロレンズアレイによって集光されてから有機ＥＬ装置の外へ出射される。すなわち、
発光層から出射された光のうちで、基板面に対して斜めに出射された光でも、マイクロレンズアレイのレンズで、基板面に対して垂直方向に屈折されて装置の外部に出射する。したがって、発光層から出射された光のほとんど全てを有機ＥＬ装置の外へ出射させることができ、その光を肉眼へ到達させ
本発明は、有機ＥＬ素子から出射された光を効率よく利用することができる
【０００９】
また、本発明の有機エレクトロルミネッセンス装置は、前記有機エレクトロルミネッセンス素子が、画素をなすものとして複数設けられており、前記マイクロレンズアレイの各レンズは、前記有機エレクトロルミネッセンス素子毎に配置されていることが好ましい。
このような発明によれば、画素をなす複数の有機ＥＬ素子から出射された光が、それぞれマイクロレンズアレイの各レンズによって集光されてから装置の外部へ出射されるので、複数の画素を有する有機ＥＬ装置における発光効率を大幅に向上させることができる。
【００１０】
また、本発明の有機エレクトロルミネッセンス装置は、前記有機エレクトロルミネッセンス素子が、画素をなすものとして複数設けられており、前記マイクロレンズアレイにおける２つ以上のレンズ毎に、１つの前記有機エレクトロルミネッセンス素子が対応するように、前記マイクロレンズアレイが配置されている構成でもよい。
【００１１】
また、
本発明の有機エレクトロルミネッセンス装置は、前記有機エレクトロルミネッセンス素子が、画素をなすものとして複数設けられており、前記マイクロレンズアレイにおける１つのレンズ毎に、２つ以上の前記有機エレクトロルミネッセンス素子が対応するように、前記マイクロレンズアレイが配置されている構成でもよい
　
　ウ　「【００６８】
（第３実施形態）
次に、本発明の第３実施形態に係る有機ＥＬ装置とその製造方法について説明する。図７は、本発明の第３実施形態に係る有機ＥＬ装置とその製造方法を示す概要断面図である。本有機ＥＬ装置の概要は、
従来の製造方法で作成された有機ＥＬ装置にマイクロレンズアレイ１７を接着させた
【００６９】
先ず、図７（ａ）に示すように、
透明な基板７１の底面側から光を出射させる基板側発光型の有機ＥＬ装置
【００７０】
次いで、基板７１の図面の点線部分を研磨により削り、基板７１を薄くする。
例えば、厚さが１００μｍとなるまで基板７１を薄くする。
次いで、図７（ｂ）に示すように、有機ＥＬ素子がなす画素毎にレンズが配置されるように、
マイクロレンズアレイ３１’を基板７１の底面に接着させる
　
　エ　「【００８１】
例えば、有機ＥＬ素子を用いた照明など、特に輝度を必要とする表示体（発光体）パネルに本発明を適用してもよい
　
　オ　刊行物２に記載された技術事項
　上記ア〜エの記載事項を整理すると刊行物２には次の技術事項が記載されている。
　「基板８１を透過した光を用いる基板側発光型の有機ＥＬ装置或いは基板９１の有機ＥＬ層９４側から光を出射させる封止側発光型の有機ＥＬ装置においては、有機ＥＬ膜から光が四方八方に出射されるので、基板面に対して斜めに出射された光がその基板と外部空気の境界又は有機ＥＬ装置の保護膜と外部空気の境界で反射され、有機ＥＬ装置の外に出射されないという問題点を有していたことから、
　有機ＥＬ素子から出射された光を効率よく利用することができる有機エレクトロルミネッセンス装置の提供を目的として、
　有機エレクトロルミネッセンス素子の発光面側にマイクロレンズアレイを設けることで、
　発光層から出射された光のうちで、基板面に対して斜めに出射された光でも、マイクロレンズアレイのレンズで、基板面に対して垂直方向に屈折されて装置の外部に出射させることで、発光層から出射された光のほとんど全てを有機ＥＬ装置の外へ出射させることができ、その光を肉眼へ到達させ、有機ＥＬ素子から出射された光を効率よく利用することができるようにし、
　また、前記有機エレクトロルミネッセンス素子が、画素をなすものとして複数設けられており、前記マイクロレンズアレイにおける１つのレンズ毎に、２つ以上の前記有機エレクトロルミネッセンス素子が対応するように、前記マイクロレンズアレイが配置されている構成としてもよく、
　また、透明な基板７１の底面側から光を出射させる基板側発光型の有機ＥＬ装置においては、マイクロレンズアレイ３１’を基板７１の底面に接着させ、
　さらに、有機ＥＬ素子を用いた照明など、特に輝度を必要とする表示体（発光体）パネルに本発明を適用してもよいこと。」（以下、「刊行物２に記載された技術事項」という。）
　
　
４　対比・判断
（１）本願発明と引用発明との対比
　ア　引用発明の「有機ＥＬ発光装置」、「装飾用照明、室内用一般照明等に用いることができる有機ＥＬ発光装置」、「基板」、「『第１単位発光素子１０』、『第２単位発光素子２０』」、「『第１有機発光層１４』、『第２有機発光層２４』」及び「単位発光素子が４行４列に配列された『ダイアゴナル配列』」は、それぞれ本願発明の「発光装置」、「照明装置」、「支持基板」、「照明素子」、「有機領域」及び「二次元アッセンブリー」に相当する。
　
　イ　引用発明の「第１下部電極１２及び第２下部電極２２」は、基板１００上に設けられた第１単位発光素子１０及び第２単位発光素子２０の一部であり、基板１００の表面上に配置されているから、本願発明の「ベース電極」に相当し、引用発明の「第１上部電極１６」及び「第２上部電極２６」は、何れも、「第１単位発光素子１０」及び「第２単位発光素子２０」として積層された「第１単位発光層１４」及び「第２単位発光層２４」の上面をそれぞれ覆っているから、本願発明の「カバー電極」に相当する。
　したがって、引用発明の「第１単位発光素子１０は、基板１００上に、第１下部電極１２、第１有機発光層１４及び第１上部電極１６を、この順に積層した構造」及び「第２単位発光素子２０は、基板１００上に、第２下部電極２２、第２有機発光層２４及び第２上部電極２６を、この順に積層した構造」を有していることは、本願発明の「各照明素子は、カバー電極と、支持基板（２）上のベース電極と、上記カバー電極と上記ベース電極との間に配置」されることに相当する。
　
　ウ　引用発明の「第１及び第２下部電極１２、２２は有機発光層へ正孔を注入するための陽極、又は有機発光層へ電子を注入するための陰極として機能し、第１下部電極１２が陽極のときは、第２上部電極２６は陰極であり、第１下部電極１２が陰極のときは、第２上部電極２６は陽極とな」り、「第１有機発光層１４」及び「第２有機発光層２４」が発光層として機能するのであるから、「第１有機発光層１４」及び「第２有機発光層２４」は、それぞれ「第１下部電極１２」及び「第２下部電極２２」と「第１上部電極１６」及び「第２上部電極２６」とにそれぞれ電気的に接触していることは明らかである。
　また、引用発明の「第１有機発光層１４と第２有機発光層２４との間隙部分」は、隣り合う「第１有機発光層１４と第２有機発光層２４と」を分離していることは明らかであり、具体的な配置として「各単位発光素子がｈの幅で分離されて長方形の長辺方向に直列接続されるように４個の単位発光素子Ａ１、Ｂ２、Ａ３、Ｂ４が直列接続されたユニット」を形成していることからも、引用発明の上記「間隙部分」は、本願発明の「中間領域」に相当する。
　したがって、引用発明の「第１及び第２下部電極１２、２２は有機発光層へ正孔を注入するための陽極、又は有機発光層へ電子を注入するための陰極として機能し、第１下部電極１２が陽極のときは、第２上部電極２６は陰極であり、第１下部電極１２が陰極のときは、第２上部電極２６は陽極となり、
　第１有機発光層１４と第２有機発光層２４との間隙部分において第１下部電極１２と第２上部電極２６とが電気的に接続されること」は、本願発明の「該カバー電極および該ベース電極に電気的に接触している有機領域とを有し、隣り合う照明素子の有機領域は、対応する中間領域（３；３３）によって互いにそれぞれ分離されている」ことに相当する。
　
　エ　引用発明の「第１下部電極１２と第２上部電極２６と」は、「第１有機発光層１４と第２有機発光層２４との間隙部分において」「電気的に接続されることで、第１単位発光素子１０と第２単位発光素子２０は直列に接続されて」いるのであるから、「間隙部分」で「第１下部電極１２と第２上部電極２６と」が「接続され」ている部分は、本願発明の「接続部」に相当する。
　したがって、引用発明の「第１有機発光層１４と第２有機発光層２４との間隙部分において第１下部電極１２と第２上部電極２６とが電気的に接続されることで、第１単位発光素子１０と第２単位発光素子２０は直列に接続されており」は、本願発明の「上記照明素子（１；３０，３１）の少なくとも一部を含む電気的な直列接続とを備え、上記電気的な直列接続では、照明素子の上記カバー電極と、該照明素子の隣の照明素子の上記ベース電極とが、上記照明素子と上記隣の照明素子との間の上記中間領域（３；３３）によって形成された接続部を介して、互いに電気的に接続されており」に相当する。
　
　オ　上記ア〜エから、本願発明と引用発明とは、
「発光装置、特に照明装置であって、
　支持基板（２）上に個々に形成された複数の照明素子（１；３０，３１）を含む二次元アッセンブリーであって、上記各照明素子は、カバー電極と、支持基板（２）上のベース電極と、上記カバー電極と上記ベース電極との間に配置され、かつ該カバー電極および該ベース電極に電気的に接触している有機領域とを有し、隣り合う照明素子の有機領域は、対応する中間領域（３；３３）によって互いにそれぞれ分離されている、二次元アッセンブリーと、
　上記照明素子（１；３０，３１）の少なくとも一部を含む電気的な直列接続とを備え、
　上記電気的な直列接続では、照明素子の上記カバー電極と、該照明素子の隣の照明素子の上記ベース電極とが、上記照明素子と上記隣の照明素子との間の上記中間領域（３；３３）によって形成された接続部を介して、互いに電気的に接続されている、
　発光装置。」
の点で一致し、次の点で相違する。
　
　相違点
　本願発明は、「照明素子（１；３０，３１）の発光側に配置され、対応する照明素子の光取り出し効率を最適化する光取り出し素子（４）」を有し、当該「光取り出し素子（４）」は、「複数の光取り出し素子の二次元配置が形成されており、複数の照明素子が１つの光取り出し素子に対応付けられている」のに対して、引用発明では、そのような「光取り出し素子」が設けられていない点。
　
（２）相違点についての判断
　ア　本願発明における「光取り出し素子」について、本願の出願当初明細書には、次の事項が記載されている。
　（ア）「【０００２】
  〔発明の背景〕
  発光装置は、さまざまな形態、特に照明装置として利用可能である。
発光装置において頻繁に発生する課題は、装置において生成された光を、個々の所望の適用にも使用可能なように、効率よく取り出すことである。ここで、部品にて生成された光の大部分は、いわゆる基板モードおよび有機モードで捕捉される
【０００８】
  〔発明の概要〕
  本発明の目的は、光取り出し効率を改善した発光装置、特に照明器具を製造することである。・・（略）・・
【００１１】
  
光取り出し素子は、
複数の照明素子に対してグループをなすように形成されてもよい
二次元配置において、複数の光取り出し素子を含む
　（イ）「【００１６】
  本発明の別の好ましい実施形態では、各
光取り出し素子は、光学レンズとして形成されていてもよい。これにより、最適化された光の取り出しが実現される
　
　上記記載事項によれば、「部品にて生成された光の大部分は、いわゆる基板モードおよび有機モードで捕捉される」ために、「装置において生成された光を、個々の所望の適用にも使用可能なように、効率よく取り出す」ことを課題として、「光取り出し素子は、光学レンズとして形成されていてもよい。これにより、最適化された光の取り出しが実現される。」ことが説明されており、具体的には、「光取り出し素子は」、「複数の照明素子に対してグループをなすように形成され」、「二次元配置において、複数の光取り出し素子を含む」ことが説明されているが、「複数の照明素子に対してグループをなすように形成され」ている「光取り出し素子」において、各照明素子の配置と光取り出し素子との配置関係及び各大きさの関係について具体的な説明及び図面は示されていない。
　
　イ　上記３（２）で摘記した刊行物２に記載された技術事項によれば、「基板８１を透過した光を用いる
基板側発光型の有機ＥＬ装置
封止側発光型の有機ＥＬ装置
有機ＥＬ膜から光が四方八方に出射される
基板と外部空気の境界
保護膜と外部空気の境界
　「基板側発光型或いは封止側発光型の何れの有機ＥＬ装置においても、有機ＥＬ膜から光が四方八方に出射されるので、基板と外部空気の境界又は保護膜と外部空気の境界で光が反射され外に出射されないという」問題点があることが示されており、
　当該問題点を解決するために、「有機エレクトロルミネッセンス素子の発光面側にマイクロレンズアレイを設ける」ものであり、また、当該マイクロレンズアレイの配置方法の一例として、「有機エレクトロルミネッセンス素子が、画素をなすものとして複数設けられており、前記マイクロレンズアレイにおける１つのレンズ毎に、２つ以上の前記有機エレクトロルミネッセンス素子が対応するように、前記マイクロレンズアレイが配置され」ることが記載されている。
　本願発明における「光取り出し素子」に関する上記アで摘記した事項を参酌すれば、刊行物２に記載された「マイクロレンズアレイ」は、「発光層から出射された光のうちで、基板面に対して斜めに出射された光でも、マイクロレンズアレイのレンズで、基板面に対して垂直方向に屈折されて装置の外部に出射させることで、発光層から出射された光のほとんど全てを有機ＥＬ装置の外へ出射させる」ものであるから、本願発明の複数の「光取り出し素子」の集合体に相当する。
　また、刊行物２に記載された「マイクロレンズアレイ」は、複数のレンズを配列したものであり、配置方法としては、有機エレクトロルミネッセンス素子の配列に応じて適宜設定されるものである。
　
　ウ　刊行物１における特に好ましい実施の形態としては、「対向透明電極側から」「有機発光層で発生した光」を「取り出」す際に、「対向透明電極を光半透過半反射電極とすることによりマイクロキャビティ構造とし、反射電極と対向電極間の距離を選択することにより有機発光層で発生した光を増幅させ、高強度の光を素子外部に取り出す」例（上記刊行物１の記載事項イの［００２９］等）が説明されており、これは、上記刊行物１の従来技術を説明した記載事項アの［０００３］を参酌すれば「トップエミッション型」であろうことが説明されているが、一方で、従来技術として挙げられている「有機ＥＬ素子を発光面内に直列に並置配列する技術が開示されている」特許文献７：米国特許出願公開第２００４／００３２２２０号明細書に開示の発明は、「比較的容易に白色発光を得ることができた。しかしながら、白色の均一性が不十分であり、白色の発光効率が不十分であり、かつ駆動電圧が高くなりすぎる、という課題があった」としており、刊行物１では、これを改善するために、「直列接続する部分の発光色を異なる２色以上とすることにより、課題」を「解決」する旨説明（上記刊行物１の記載事項アの［００１１］〜［００１３］）されている。
　ここで、上記特許文献７のファミリーである特開２００４−１３４３８５号公報には、
「（ａ）共通基板及び該共通基板の上に同時に形成された各OLEDデバイスを含む、間隔を置いて並べられ直列に電気接続された多数のOLEDデバイス、並びに
（ｂ）間隔を置いて並べられた直列のOLEDデバイスの最初と最後のものに接続された電源を含んでなる面照明装置（【請求項１】）において、
　　（ａ）該間隔を置いて並べられた複数のOLEDデバイスが、該共通基板及び該共通基板の上に同時に形成された間隔を置いて並べられた各OLEDデバイスを含み、該間隔を置いて並べられた各OLEDデバイスが、該基板上に配置された間隔を置いて並べられた底部電極を含み、
　　（ｂ）該間隔を置いて並べられたOLEDデバイスの各々が、それぞれ対応する間隔を置いて並べられた底部電極の縁部を越えて延在する有機層を少なくとも一層含み、そして
　　（ｃ）該複数のOLEDデバイスの各々が、他の上部電極から間隔を置いて並べられ、かつ、隣接するOLEDデバイスの間隔を置いて並べられた底部電極と電気接触するように延在する上部電極を含むことにより、OLEDデバイスが直列に接続され、各OLEDデバイスの間隔を置いて並べられた上部電極と底部電極との間に、並びに当該OLEDデバイスの間隔を置いて並べられた底部電極から隣のOLEDデバイスの間隔を置いて並べられた上部電極へ、電流が流れ、直列抵抗による電力損が減少する面照明装置（【請求項９】）。」において、【００２９】には、「基板は、意図される発光方向に依存して、透光性又は不透明性のいずれかであることができる。
基板を介してEL発光を観察する場合
EL発光を上部電極を介して観察する用途の場合
　そして、刊行物１における上記特許文献７の課題解決のためには、EL発光が「基板を介し」た場合、或いは「上部電極を介し」た場合の何れにも適用しうることは明らかであるから、引用発明は、ボトムエミッション型とトップエミッション型の何れにも適用しうることは当業者にとって明らかである。
　
　エ　また、「ボトムエミッション型は例えばガラス等の光透過性を有する支持基板上にインジウム酸化錫（ＩＴＯ）等の透明電極を設け、さらにその上に有機発光層、対向反射電極を順に積層した構造」であり、「トップエミッション型は、支持基板上に反射電極を設け、さらにその上に、有機発光層、対向透明電極を順に積層した構造」であることが刊行物１の［０００３］に記載されており、「対向透明電極」の表面には、これを保護するための保護膜が形成されていることも周知（例えば、刊行物２の【０００４】及び図８（ｂ）等）であるから、引用発明をボトムエミッション型とした場合には、「光透過性を有する支持基板」を有し、トップエミッション型とした場合には、保護膜を有しているものである。
　
　オ　してみると、引用発明においても、上記アで摘記した刊行物２における従来技術の課題である「基板側発光型或いは封止側発光型の何れの有機ＥＬ装置においても、有機ＥＬ膜から光が四方八方に出射されるので、
基板と外部空気の境界
保護膜と外部空気の境界で光が反射され外に出射されない
　
　カ　そして、引用発明は、「各単位発光素子がｈの幅で分離されて長方形の長辺方向に直列接続されるように４個の単位発光素子Ａ１、Ｂ２、Ａ３、Ｂ４が直列接続されたユニットを１行とし、横の行と同様、縦の列も発光色Ａ、Ｂが交互に並んでいる４行が駆動電源Ｖに並列接続されて、単位発光素子が４行４列に配列された「ダイアゴナル配列」を形成」しているものであるから、上記ア〜オで検討した「前記マイクロレンズアレイにおける１つのレンズ毎に、２つ以上の」「単位発光素子」「が対応するように、前記マイクロレンズアレイ」を配置する際に、４行４列に配列された各単位発光素子の複数個ずつに、前記マイクロレンズアレイの各レンズを対応させ、各レンズを二次元的に配置させるようにすること、また、引用発明における単位発光素子の配列については、４行４列に限定されるでもなく、適宜その数を増加しうるものでもあるから、その配列に応じて各レンズをどの様に配置するかは、引用発明に上記刊行物２に記載された技術事項を適用する際に当業者が適宜設定しうる設計事項にすぎない。
　
　キ　よって、引用発明において、刊行物２に記載された技術事項に基づいて、上記相違点に係る本願発明の発明特定事項に相当する構成を採用することは当業者が容易に想到し得たものである。
　
　
５　結言 
　以上のとおり、本願発明は、刊行物１に記載された発明及び刊行物２に記載された技術事項に基づいて当業者が容易に発明をすることができたものであるから、特許法第２９条第２項の規定により、特許を受けることができない。
　したがって、本願の他の請求項に係る発明について検討するまでもなく、本願は拒絶すべきものである。
　
　　よって、結論のとおり審決する。